(57)【特許請求の範囲】
【請求項１】
互いに対向配置された一対の基板間に液晶層が挟持され、一方の基板の液晶層に接する面にアルミニウム又は銀又は銀を含む合金からなる信号電極と、他方の基板に設けられた走査電極が交差する部分に形成される画素が配列されてなる表示領域が形成された液晶装置であって、
該一方の基板の液晶層に接する面と反対側である外面の少なくとも１辺及び該１辺の基板端部にアルミニウム又は銀又は銀を含む合金からなる外部接続端子を具備し、
駆動用ＩＣが該一方の基板の該表示領域内の該外面に形成されたアルミニウム又は銀又は銀を含む合金からなる信号電極用接続配線及び走査電極用接続配線及び信号入力用配線に実装され、
該駆動用ＩＣからの信号が該一方の基板の該表示領域外の該１辺以外の少なくとも２辺でスルーホールを通じて該信号電極と、該走査電極に接続された該他方の基板との上下導通部から伸びる液晶層に接する面の走査電極用接続配線に接続され、
ていることを特徴とする液晶装置。
【請求項２】
互いに対向配置された一対の基板間に液晶層が挟持され、一方の基板の液晶層に接する面にアルミニウム又は銀又は銀を含む合金からなる信号電極と、他方の基板に設けられた走査電極が交差する部分に形成される画素が配列されてなる表示領域が形成された液晶装置であって、
該一方の基板の液晶層に接する面と反対側である外面の少なくとも１辺にアルミニウム又は銀又は銀を含む合金からなる外部接続端子を具備し、
駆動用ＩＣが該一方の基板の該表示領域内の該外面に形成されたアルミニウム又は銀又は銀を含む合金からなる信号電極用接続配線及び走査電極用接続配線及び信号入力用配線に実装され、
該駆動用ＩＣからの信号が該一方の基板の該表示領域外の該１辺以外の少なくとも２辺でスルーホールを通じて該信号電極と、該走査電極に接続された該他方の基板との上下導通部から伸びる液晶層に接する面の走査電極用接続配線に接続され、
ていることを特徴とする液晶装置。
【請求項３】
互いに対向配置された一対の基板間に液晶層が挟持され、一方の基板の液晶層に接する面にアルミニウム又は銀又は銀を含む合金からなる信号電極と、他方の基板に設けられた走査電極が交差する部分に形成される画素が配列されてなる表示領域が形成された液晶装置であって、
外部接続端子に接続するアルミニウム又は銀又は銀を含む合金からなる信号入力用配線が一方の基板の液晶層に接する面と反対側である外面に形成されており、
該一方の基板の液晶層に接する側の面である内面の該表示領域外の少なくとも１辺にアルミニウム又は銀又は銀を含む合金からなる外部接続端子を具備し、
駆動用ＩＣが該一方の基板の該表示領域内の該外面に形成されたアルミニウム又は銀又は銀を含む合金からなる信号電極用接続配線及び走査電極用接続配線及び該信号入力用配線に実装され、
該駆動用ＩＣからの信号が該一方の基板の該表示領域外の該１辺以外の少なくとも２辺でスルーホールを通じて該信号電極と、該走査電極に接続された該他方の基板との上下導通部から伸びる該内面の走査電極用接続配線に接続され、
ていることを特徴とする液晶装置。
【請求項４】
前記外部接続端子がピンであることを特徴とする請求項１から請求項３のいずれかに記載の液晶装置。
【請求項５】
前記外部接続端子がはんだボールであることを特徴とする請求項１から請求項３のいずれかに記載の液晶装置。
【請求項６】
前記液晶装置が反射型液晶装置であることを特徴とする請求項１から請求項３のいずれかに記載の液晶装置。
【請求項７】
互いに対向配置された一対の基板間に液晶層が挟持され、一方の基板の液晶層に接する面にアルミニウム又は銀又は銀を含む合金からなる信号電極と、他方の基板に設けられた走査電極が交差する部分に形成される画素が配列されてなる表示領域が形成された液晶装置であって、
該一方の基板の端部の少なくとも１辺にアルミニウム又は銀又は銀を含む合金からなる外部接続端子を具備し、駆動用ＩＣが該一方の基板の該表示領域内の液晶層に接する面と反対側面に形成されたアルミニウム又は銀又は銀を含む合金からなる信号電極用接続配線及び走査電極用接続配線及び信号入力用配線に実装され、該駆動用ＩＣからの信号が該一方の基板の該表示領域外の該１辺以外の少なくとも２辺でスルーホールを通じて該信号電極と、該走査電極に接続された該他方の基板との上下導通部から伸びる液晶層に接する面の走査電極用接続配線に接続されている液晶装置を使用して、該外部接続端子を他の電子機器の外部接続ソケットに挿入することを特徴とする液晶装置と他の電子機器との接続方法。
【請求項８】
互いに対向配置された一対の基板間に液晶層が挟持され、一方の基板の液晶層に接する面にアルミニウム又は銀又は銀を含む合金からなる信号電極と、他方の基板に設けられた走査電極が交差する部分に形成される画素が配列されてなる表示領域が形成された液晶装置であって、
該一方の基板の液晶層に接する面と反対側である外面の少なくとも１辺にアルミニウム又は銀又は銀を含む合金からなる外部接続端子を具備し、駆動用ＩＣが該一方の基板の該表示領域内の該外面に形成されたアルミニウム又は銀又は銀を含む合金からなる信号電極用接続配線及び走査電極用接続配線及び信号入力用配線に実装され、該駆動用ＩＣからの信号が該一方の基板の該表示領域外の該１辺以外の少なくとも２辺でスルーホールを通じて該信号電極と、該走査電極に接続された該他方の基板との上下導通部から伸びる液晶層に接する面の走査電極用接続配線に接続されている液晶装置を使用して、該外部接続端子を他の電子機器の外部接続端子に接続することを特徴とする液晶装置と他の電子機器との接続方法。
【請求項９】
互いに対向配置された一対の基板間に液晶層が挟持され、一方の基板の液晶層に接する面にアルミニウム又は銀又は銀を含む合金からなる信号電極と、他方の基板に設けられた走査電極が交差する部分に形成される画素が配列されてなる表示領域が形成された液晶装置であって、
該一方の基板の液晶層に接する面である内面の該表示領域外の少なくとも１辺にアルミニウム又は銀又は銀を含む合金からなる外部接続端子を具備し、駆動用ＩＣが該一方の基板の該表示領域内の液晶層に接する面と反対側面に形成されたアルミニウム又は銀又は銀を含む合金からなる信号電極用接続配線及び走査電極用接続配線及び信号入力用配線に実装され、該駆動用ＩＣからの信号が該一方の基板の該表示領域外の該１辺以外の少なくとも２辺でスルーホールを通じて該信号電極と、該走査電極に接続された該他方の基板との上下導通部から伸びる液晶層に接する面の走査電極用接続配線に接続されている液晶装置を使用して、該外部接続端子と他の電子機器の外部接続端子とをボンディングワイヤーを介して接続することを特徴とする液晶装置と他の電子機器との接続方法。
【請求項１０】
請求項１ないし請求項６のいずれか一項に記載の液晶装置を備えたことを特徴とする電子機器。
【発明の詳細な説明】
【０００１】
【発明の属する技術分野】
本発明は、液晶装置および電子機器に関し、特に液晶装置を他の電子部品や電子機器に実装するにあたって容易に接続できる液晶装置及びその接続方法並びにそのような液晶装置を備えた電子機器に関するものである。
【０００２】
【従来の技術】
近年、ノートパソコン、携帯電話機、腕時計等の携帯用電子機器において、各種の情報を表示する手段として液晶表示パネルが広く使用されている。特に携帯用電子機器等では、筐体内部の限られた空間に液晶表示パネルを収容し、しかも表示し得る情報量を多くしたいという要求から、表示領域を極力広く、表示領域外の部分（以下、本明細書ではこの部分を非表示領域または額縁などという）を狭くする構成が望まれている。
【０００３】
通常、この種の液晶表示装置、特にパッシブマトリクス（単純マトリクス）型と呼ばれる液晶表示装置では、対向する２枚の透明基板をシール材によって貼り合わせ、２枚の基板間でシール材によって囲まれた領域に液晶が封入されている。貼り合わされた各透明基板の対向面には互いに交差するストライプ状の透明電極が形成されている。この液晶表示装置では、２枚の基板上の透明電極が互いに交差する部分が画素となり、液晶を各画素毎に外部から駆動する方式が採用されている。ここで表示領域とは、シール材によって囲まれた内側で群として画素を構成した領域である。液画素晶を外部から制御し駆動表示するためには、例えば一方の基板を他方の基板の外形から外側に張り出させ、その張り出させた領域の基板表面には表示領域の透明電極から引き出された引き回し配線に信号を供給する駆動用ＩＣをそれぞれ実装し、各駆動用ＩＣの端子と引き廻し配線とを電気的に接続する構成が採用されていた。
【０００４】
その後、液晶表示パネルの狭額縁化（非表示領域の縮小）、駆動用ＩＣの使用数の削減等を目的として、画素数がそれ程多くない小規模のパネルの場合には、２枚の透明基板上の全ての電極を一方の基板上の非表示領域に設けた多数の引き廻し配線に導通させ、これら引き廻し配線に接続した１個の駆動用ＩＣで駆動する方式が提案された。図２５、図２６はこの方式の液晶表示装置の構成例を示している。
【０００５】
図２５はいわゆるＣＯＦ（Chip On Film）実装と呼ばれる形態のものであり、下側基板１００の一辺側が上側基板１０１の外側に張り出しており、この部分に１個の駆動用ＩＣ１０２が搭載されたフレキシブルプリント配線板１０３（Flexible Printed Circuit, 以下、ＦＰＣと略記する）が接合されている。下側基板１００および上側基板１０１の対向面には互いに直交する方向に多数のストライプ状電極１０４，１０５が形成されている。
【０００６】
図２６はいわゆるＣＯＧ（Chip On Glass）実装と呼ばれる形態のものであり、下側基板１１０の一辺側が上側基板１１１の外側に張り出しており、この部分に駆動用ＩＣ１１２が直接搭載され、さらに駆動用ＩＣ１１２に駆動信号を供給するためのＦＰＣ１１３が接合されている。
【０００７】
いずれの形態にしても、下側基板の電極用の引き廻し配線と上側基板の電極用の引き廻し配線は全て、ＦＰＣや駆動用ＩＣが実装された下側基板の一辺側に集められている。
【０００８】
引き廻し配線の接続構造の一例を図２７、図２８を用いて詳細に説明する。図２７は上側基板の電極および引き廻し配線の配置を示す平面図であり、図２８は下側基板の電極および引き廻し配線の配置を示す平面図である。図２７に示すように、上側基板１２０においては、図中横方向に延在する短冊状の走査電極１２１がストライプ状に多数配置されている。ここで、多数の走査電極１２１が形成された領域が液晶表示装置としての表示領域１２２となる。そして、表示領域１２２の外方（図中表示領域１２２の右側と左側）の非表示領域に、各走査電極１２１に信号を供給するための走査電極用引き廻し配線１２３がそれぞれ配置されている。この引き廻し配線１２３は電極の延在方向に引き出された後、屈曲して上側基板１２０の一辺側（図中下側の辺）の両端部に集められている。
【０００９】
一方、図２８に示すように、下側基板１３０においては、走査電極１２１と直交する方向（図中縦方向）に延在する短冊状の信号電極１３１がストライプ状に多数配置されている。そして、表示領域１２２の外方（図中表示領域１２２の下側中央部）の非表示領域に、各信号電極１３１に信号を供給するための信号電極用引き廻し配線１３２がそれぞれ配置されている。また、これら信号電極用引き廻し配線１３２が配置された領域の両側方に、上側基板１２０の走査電極用引き廻し配線１２３と電気的に接続するための走査電極用引き廻し配線１３３が走査電極１２１の数と同数、配置されている。また、この走査電極用引き廻し配線１３３のピッチは上側基板１２０の走査電極用引き廻し配線１２３のピッチと一致している。なお、本構成例においては、全ての引き廻し配線１２３，１３２は走査電極１２１もしくは信号電極１３１と一体に形成されており、インジウム錫酸化物（Indium Tin Oxide, 以下、ＩＴＯと略記する）等の透明導電膜で形成されている。
【００１０】
上記構成の上側基板１２０と下側基板１３０を貼り合わせると、下側基板１３０の外形よりも上側基板１２０の外形の方が大きく、上側基板１２０上の走査電極用引き廻し配線１２３の下端と下側基板１３０上の走査電極用引き廻し配線１３３の上端とが、図中符号１３４で示す上下導通部で対向するように位置する。上下導通部１３４には例えば異方性導電膜、導電性粒子を含む導電材等が設けられており、これを介して上側基板１２０上の走査電極用引き廻し配線１２３と下側基板１３０上の走査電極用引き廻し配線１３３とが電気的に接続される。このようにして、全ての走査電極用引き廻し配線１３３と全ての信号電極用引き廻し配線１３２が下側基板１３０の一辺側に集められたことになるので、この部分に例えば図２５に示したようなＣＯＦ実装を行えば、ＣＯＦ上の１個の駆動用ＩＣから全ての走査電極１２１と信号電極１３１に対して信号を供給することができる。
【００１１】
【発明が解決しようとする課題】
しかしながら、上記構成の液晶表示装置には、以下のような問題点があった。
【００１２】
すなわち、従来の液晶表示装置を他の電子部品や電子機器に実装する場合、図２５や図２６に示すように、駆動用ＩＣに信号を供給するためにはＦＰＣを介して他の電子部品や電子機器と接合する方法が採られていた。信号を供給するためのＦＰＣは、液晶表示装置の基板から大きく張り出して設けられるため、液晶表示パネルの狭額縁化の成果が十分発揮されない結果を招くこととなる。
また、液晶表示装置を電子機器の筐体内に収容する場合、このＦＰＣ部分が無駄な空間となっていた。
さらに、液晶表示装置を他の電子部品や電子機器に実装する工程において、柔軟なＦＰＣを吊り下げたまま搬送しなければならず、ハンドリングがやりにくいといった難点があった。
【００１３】
本発明は、上記の課題を解決するためになされたものであって、液晶表示装置を他の電子部品や電子機器に実装する際に、駆動用ＩＣに信号を供給するためのＦＰＣを用いることなく、簡便な方法で確実に他の電子部品等に接続でき、しかもハンドリングに便利な液晶表示装置を提供しようとするものである。これにより、液晶表示パネルの狭額縁化の効果を最大限に活用した液晶表示装置およびこれを用いた電子機器を提供しようとするものである。
【００１４】
【課題を解決するための手段】
上記の目的を達成するために、本発明の液晶装置は、互いに対向配置された一対の基板間に液晶層が挟持され、一方の基板の液晶層に接する面にアルミニウム又は銀又は銀を含む合金からなる信号電極と、他方の基板に設けられた走査電極が交差する部分に形成される画素が配列されてなる表示領域が形成された液晶装置であって、該一方の基板の液晶層に接する面と反対側である外面の少なくとも１辺及び該１辺の基板端部にアルミニウム又は銀又は銀を含む合金からなる外部接続端子を具備し、駆動用ＩＣが該一方の基板の該表示領域内の該外面に形成されたアルミニウム又は銀又は銀を含む合金からなる信号電極用接続配線及び走査電極用接続配線及び信号入力用配線に実装され、該駆動用ＩＣからの信号が該一方の基板の該表示領域外の該１辺以外の少なくとも２辺でスルーホールを通じて該信号電極と、該走査電極に接続された該他方の基板との上下導通部から伸びる液晶層に接する面の走査電極用接続配線に接続され、ていることを特徴とする。
また、本発明の液晶装置は、互いに対向配置された一対の基板間に液晶層が挟持され、一方の基板の液晶層に接する面にアルミニウム又は銀又は銀を含む合金からなる信号電極と、他方の基板に設けられた走査電極が交差する部分に形成される画素が配列されてなる表示領域が形成された液晶装置であって、該一方の基板の液晶層に接する面と反対側である外面の少なくとも１辺にアルミニウム又は銀又は銀を含む合金からなる外部接続端子を具備し、駆動用ＩＣが該一方の基板の該表示領域内の該外面に形成されたアルミニウム又は銀又は銀を含む合金からなる信号電極用接続配線及び走査電極用接続配線及び信号入力用配線に実装され、該駆動用ＩＣからの信号が該一方の基板の該表示領域外の該１辺以外の少なくとも２辺でスルーホールを通じて該信号電極と、該走査電極に接続された該他方の基板との上下導通部から伸びる液晶層に接する面の走査電極用接続配線に接続され、ていることを特徴とする。
また、本発明の液晶装置は、互いに対向配置された一対の基板間に液晶層が挟持され、一方の基板の液晶層に接する面にアルミニウム又は銀又は銀を含む合金からなる信号電極と、他方の基板に設けられた走査電極が交差する部分に形成される画素が配列されてなる表示領域が形成された液晶装置であって、外部接続端子に接続するアルミニウム又は銀又は銀を含む合金からなる信号入力用配線が一方の基板の液晶層に接する面と反対側である外面に形成されており、該一方の基板の液晶層に接する側の面である内面の該表示領域外の少なくとも１辺にアルミニウム又は銀又は銀を含む合金からなる外部接続端子を具備し、
駆動用ＩＣが該一方の基板の該表示領域内の該外面に形成されたアルミニウム又は銀又は銀を含む合金からなる信号電極用接続配線及び走査電極用接続配線及び該信号入力用配線に実装され、該駆動用ＩＣからの信号が該一方の基板の該表示領域外の該１辺以外の少なくとも２辺でスルーホールを通じて該信号電極と、該走査電極に接続された該他方の基板との上下導通部から伸びる該内面の走査電極用接続配線に接続され、ていることを特徴とする。
また、本発明の液晶装置と他の電子機器との接続方法は、互いに対向配置された一対の基板間に液晶層が挟持され、一方の基板の液晶層に接する面にアルミニウム又は銀又は銀を含む合金からなる信号電極と、他方の基板に設けられた走査電極が交差する部分に形成される画素が配列されてなる表示領域が形成された液晶装置であって、該一方の基板の端部の少なくとも１辺にアルミニウム又は銀又は銀を含む合金からなる外部接続端子を具備し、駆動用ＩＣが該一方の基板の該表示領域内の液晶層に接する面と反対側面に形成されたアルミニウム又は銀又は銀を含む合金からなる信号電極用接続配線及び走査電極用接続配線及び信号入力用配線に実装され、該駆動用ＩＣからの信号が該一方の基板の該表示領域外の該１辺以外の少なくとも２辺でスルーホールを通じて該信号電極と、該走査電極に接続された該他方の基板との上下導通部から伸びる液晶層に接する面の走査電極用接続配線に接続されている液晶装置を使用して、該外部接続端子を他の電子機器の外部接続ソケットに挿入することを特徴とする。
また、本発明の液晶装置と他の電子機器との接続方法は、互いに対向配置された一対の基板間に液晶層が挟持され、一方の基板の液晶層に接する面にアルミニウム又は銀又は銀を含む合金からなる信号電極と、他方の基板に設けられた走査電極が交差する部分に形成される画素が配列されてなる表示領域が形成された液晶装置であって、該一方の基板の液晶層に接する面と反対側である外面の少なくとも１辺にアルミニウム又は銀又は銀を含む合金からなる外部接続端子を具備し、駆動用ＩＣが該一方の基板の該表示領域内の該外面に形成されたアルミニウム又は銀又は銀を含む合金からなる信号電極用接続配線及び走査電極用接続配線及び信号入力用配線に実装され、該駆動用ＩＣからの信号が該一方の基板の該表示領域外の該１辺以外の少なくとも２辺でスルーホールを通じて該信号電極と、該走査電極に接続された該他方の基板との上下導通部から伸びる液晶層に接する面の走査電極用接続配線に接続されている液晶装置を使用して、該外部接続端子を他の電子機器の外部接続端子に接続することを特徴とする。
また、本発明の液晶装置と他の電子機器との接続方法は、互いに対向配置された一対の基板間に液晶層が挟持され、一方の基板の液晶層に接する面にアルミニウム又は銀又は銀を含む合金からなる信号電極と、他方の基板に設けられた走査電極が交差する部分に形成される画素が配列されてなる表示領域が形成された液晶装置であって、該一方の基板の液晶層に接する面である内面の該表示領域外の少なくとも１辺にアルミニウム又は銀又は銀を含む合金からなる外部接続端子を具備し、駆動用ＩＣが該一方の基板の該表示領域内の液晶層に接する面と反対側面に形成されたアルミニウム又は銀又は銀を含む合金からなる信号電極用接続配線及び走査電極用接続配線及び信号入力用配線に実装され、該駆動用ＩＣからの信号が該一方の基板の該表示領域外の該１辺以外の少なくとも２辺でスルーホールを通じて該信号電極と、該走査電極に接続された該他方の基板との上下導通部から伸びる液晶層に接する面の走査電極用接続配線に接続されている液晶装置を使用して、該外部接続端子と他の電子機器の外部接続端子とをボンディングワイヤーを介して接続することを特徴とする。
上記の目的を達成するために、本発明の液晶装置は、互いに対向配置された一対の基板間に液晶層が挟持された液晶装置であって、一方の基板の液晶層に接する面と反対側である外面の少なくとも１辺及び該１辺の基板端部に外部接続端子を設けることとした。回路基板の端部とは、回路基板の端の部分である。この外部接続端子を周辺相手のソケットに差し込むように構成したものである。
【００１５】
このように液晶装置の基板の一部に外部接続端子を設けることにより、ＦＰＣを介することなく液晶装置を直接他の電子機器や電子部品に実装することができるので、無駄なスペースを省くことができるので狭額縁化の効果を最大限に発揮させることができ、取り扱いが簡単で実装作業も簡略化されることとなる。
また、本発明の液晶装置では、外部接続端子を一方の基板の液晶層に接する面と反対側である外面の少なくとも１辺に設けることができる。基板の外面とは、液晶層に面する側と反対側の面であり、液晶を駆動させるための電極が形成されている面とは反対側の面である。外面の少なくとも１辺とは、外面上の４辺の内の少なくとも１辺である。基板の外面に外部接続端子を設けることにより、液晶装置を直接他の電子機器や電子部品に重ね合わせて実装することができるので、無駄なスペースを省くことができ、狭額縁化の効果を最大限に発揮させることができて、しかも取り扱いが簡単で実装作業も簡略化されることとなる。
また、本発明の液晶装置では、外部接続端子の接続する引き回し配線が一方の基板の液晶層に接する面と反対側である外面の形成されており、外部接続端子を一方の基板の液晶層に接する側の面である内面の表示領域外の少なくとも１辺に設けることができる。
【００１６】
基板の内面とは、基板が液晶層に面する側の面であり、液晶を駆動させるための電極が形成されている面である。内面の表示領域外の少なくとも１辺とは、液晶駆動回路が設けられた基板の、表示領域外の４辺の内の少なくとも１辺である。外部接続端子を表示領域外の少なくとも１辺に設けることにより、液晶装置の駆動回路面を直接他の電子機器や電子部品に重ね合わせて実装することができるので、無駄なスペースを省くことができ、狭額縁化の効果を最大限に発揮させることができて、しかも取り扱いが簡単で実装作業も簡略化されることとなる。
【００１７】
ここで、本発明の液晶装置で使用する外部接続端子としては、ピンまたははんだボールを使用することができる。ピンまたははんだボールをグリッドアレイ状に配置しておきこれを使用すれば、多数の接続端子を同時に加熱圧接するのみの簡便な方法によって、確実に液晶装置と他の電子機器や電子部品とを接続することができる。
また、本発明の液晶装置としては、反射型液晶装置、透過型液晶装置、半透過反射型液晶装置のいずれであっても良い。本発明によりあらゆる形式の液晶装置において、狭額縁化の効果が発揮され、しかも取り扱いが簡単で実装作業も簡略化されることとなる。
【００１８】
本発明の液晶装置と他の電子部品との接続方法の一つは、一方の基板の端部の少なくとも１辺に外部接続端子を具備している液晶装置を使用して、該外部接続端子を他の電子部品や電子機器の外部接続ソケットに挿入する接続方法である。液晶装置側に外部接続端子を備なえているので、電子部品や電子機器の外部接続ソケットに挿入するだけで、極めて簡単に接続することが可能となる。
本発明の液晶装置と他の電子部品との他の接続方法は、一方の基板の外面の少なくとも１辺に外部接続端子を具備している液晶装置を使用して、該外部接続端子を他の電子部品の外部接続端子に接続させる接続方法である。液晶装置と他の電子部品とを直接接続するので、省スペース化が図れる利点を有する。
さらに他の液晶装置と他の電子部品との接続方法は、一方の基板の内面の表示領域外の少なくとも１辺に外部接続端子を具備している液晶装置を使用して、該外部接続端子と他の電子部品の外部接続端子とをボンディングワイヤーを介して接続する方法である。液晶装置の外部接続端子面と他の電子部品の外部接続端子とを同一面に向けて配置できるので、作業性が良くなる利点を有する。
【００１９】
本発明の電子機器は、上記本発明の液晶装置を備えたことを特徴とする。
本発明によれば、液晶装置と電子機器とが直接接続されているので余分な空間を必要とせず、狭額縁化による効果を最大限に発揮し、装置全体が小型である割に表示領域が広く、携帯性に優れた電子機器を実現することができる。
【００２０】
【発明の実施の形態】
［第１の実施の形態］
以下、本発明の第１の実施の形態を図１〜図１２を参照して説明する。
【００２１】
本実施の形態は、本発明の液晶装置をパッシブマトリクス型液晶表示装置に適用した例であって、光反射部を兼ねた表示電極、いわゆる反射電極を有する液晶表示装置の例である。
【００２２】
図１は本実施の形態の液晶表示装置全体を上面側から見た斜視図、図２は下面側から見た斜視図、図３は下側基板の上面（電極形成面）図、図４は下側基板の下面図、図５は上側基板の下面（電極形成面）図、図６は上側基板と下側基板を重ね合わせた状態を示す透視図、図７は図６のＡ−Ａ’線に沿う断面図、図８は図６のＢ−Ｂ’線に沿う断面図である。なお、以下の全ての図面においては、各層や各部材を図面上で認識可能な程度の大きさとするため、各層や各部材毎に縮尺を異ならせてある。
【００２３】
本実施の形態の液晶表示装置１は、図１に示すように、下側基板２（第１の基板）と上側基板３（第２の基板）とが対向配置され、シール材（図１では図示略）シール材で囲まれた基板間に液晶層（図１では図示略）が挟持されている。本実施の形態では、下側基板２としてポリイミド等からなる不透明基板が用いられ、上側基板３としてポリカーボネート、ポリエーテルスルホン、アクリル系樹脂等からなる透明基板が用いられている。以下の説明では、双方の基板の液晶層に面する側の面を「内面」、それと反対側の面を「外面」という。また、上側基板３の外面側に、位相差板４（λ／４板）、偏光板５（偏光手段）が順次貼着されている。なお、図２以降の図面では、位相差板４、偏光板５の図示は省略してある。
【００２４】
下側基板２の内面上には多数の信号電極６（第１の導電部）がストライプ状に設けられ、それと対向する上側基板３の内面上には信号電極６と直交する方向に延在する多数の走査電極７（第２の導電部）がストライプ状に設けられている。そして、信号電極６と走査電極７が交差する部分が個々の画素８となり、多数の画素８がマトリクス状に配列した領域が表示領域９となる。なお、本実施の形態では下側基板２側の電極を信号電極、上側基板３側の電極を走査電極として説明するが、これは逆であっても一向にかまわない。
また、下側基板２の４辺の内の１辺には、外部接続端子を設けるための張り出し部分２ａが設けられている。
【００２５】
図２に示すように、下側基板２の外面上で透過平面的に表示領域９に対応する領域内に、駆動用ＩＣ１０が実装されている。この駆動用ＩＣ１０は、外部回路（図示せず）から入力された信号を受けて信号電極６に対しては画像信号を、走査電極７に対しては走査信号を供給するものである。また、下側基板２の外面上には、後述する信号電極用引き廻し配線（第１の引き廻し導電部）の一部を構成する信号電極用接続配線１２（第１の外面上接続部）、および走査電極用引き廻し配線（第２の引き廻し導電部）の一部を構成する走査電極用接続配線１４（第２の外面上接続部）がそれぞれ配設されており、駆動用ＩＣ１０の端子と電気的に接続されている。
また、下側基板２の張り出し部分２ａの先端には外部接続用端子２６が設けられており、駆動用ＩＣ１０に駆動信号を供給するための信号入力配線２７を介して駆動用ＩＣ１０と接続されている。
【００２６】
図３に示すように、下側基板２の内面上に、アルミニウムや銀（又は銀を含む合金）などの光反射率の高い金属薄膜からなる多数の信号電極６がストライプ状に設けられている。これら信号電極６は反射層を兼ねており、表示時には上側基板３の外方から入射し、液晶層を透過した光がこれら信号電極６の表面で反射し、画像表示がなされるようになっている。信号電極６の一端はそのまま電極の延在方向に細く延び、その先端が円形に形成され、後述する孔内接続部（第１の孔内接続部）と接続するためのランド１６となっている。ランド１６の中央には、下側基板２の内面、外面間を貫通するスルーホールが形成されている。信号電極６の端部のこの部分が、信号電極６と駆動用ＩＣ１０とを電気的に接続する信号電極用引き廻し配線の一部を構成する信号電極用接続配線１８となる。
【００２７】
本実施の形態の場合、信号電極用接続配線１８は、図３における最上部の信号電極６から順に、信号電極６の左側、右側、左側、…というように交互に反対側の領域に引き出されているため、上下方向に隣接する接続配線間の間隔が広く確保され、接続配線同士が短絡しにくいようになっている。しかしながら、特に接続配線間の間隔等に問題がなければ、全ての接続配線を同方向に引き出したり、例えば上側半分の接続配線を左側、下側半分の接続配線を右側と分けて引き出すなど、接続配線の引き出し方向は任意で良い。さらに、特に接続配線として信号電極６よりも細い部分を作らなくても、単に信号電極６の端部にスルーホールを設けた構成でも良い。
【００２８】
また、図３における信号電極形成領域の上方に、後述する上下導通部（基板間接続部）と孔内接続部（第２の孔内接続部）との間を電気的に接続する多数の走査電極用接続配線２１（第２の内面上接続部）が形成されている。これら走査電極用接続配線２１は上側基板３の各走査電極７と電気的に接続されるものである。本実施の形態の場合、各走査電極用接続配線２１の一端は上下導通部に接する矩形のランド２２、他端は孔内接続部に接する円形のランド２３となっており、円形のランド２３の中央には下側基板２の内面、外面間を貫通するスルーホールが形成されている。これら走査電極用接続配線２１も信号電極６と同じアルミニウムや銀（又は銀を含む合金）などの材料で形成されている。
【００２９】
図４は、図３に示す下側基板２を裏返して透かした状態を示している。下側基板２の外面上に、図３に示した信号電極用接続配線１８のスルーホール、走査電極用接続配線２１のスルーホールの位置に対応して円形のランド２４，２５がそれぞれ設けられ、信号電極用接続配線１８のスルーホールに対応する各ランド２４から駆動用ＩＣ１０の実装領域に向けて信号電極用接続配線１２がそれぞれ設けられ、走査電極用接続配線２１のスルーホールに対応する各ランド２５から駆動用ＩＣ１０の実装領域に向けて走査電極用接続配線１４が設けられている。
【００３０】
下側基板２の周縁部の４辺のうち、３辺に沿って上記多数のランド２４，２５が配置されており、残りの１辺の張り出し部分２ａの辺に沿って多数の外部接続端子２６が形成されている。この外部接続端子２６が形成されている張り出し部分２ａは、上下基板間の導通が図られるランド２３，２５が端部で形成される基板辺と対向する基板辺側に設けられている。外部接続端子２６は、この液晶表示装置１と駆動用外部回路等を他の電子部品又は他の電子機器等と接続する際に、その接続端子と接続するための端子である。そして、これら外部接続端子２６の各々から駆動用ＩＣ１０の実装領域に向けて、駆動用ＩＣ１０に駆動信号を供給するための信号入力用配線２７がそれぞれ設けられている。本実施の形態の場合、下側基板２の外面に形成された信号電極用接続配線１２、走査電極用接続配線１４、外部接続端子２６、信号入力用配線２７等は全て、内面側の信号電極６、各接続配線１８，２１等と同じく、アルミニウムや銀（又は銀を含む合金）等の材料から形成されている。
【００３１】
なお、下側基板２の外面は、駆動用ＩＣ１０の実装領域および外部接続端子２６の形成領域を除く、配線が露出した領域をポリイミド、レジスト等の樹脂を用いて被覆しておくことが望ましい。このような被覆層を形成すると、信号電極用接続配線１２、走査電極用接続配線１４、信号入力用配線４１等の配線の腐食、断線、ショート等の不具合を防止することができる。
【００３２】
図５に示すように、上側基板３の内面上に、ＩＴＯなどの透明導電性薄膜からなる多数の走査電極７がストライプ状に設けられている。図５における各走査電極７の上端が上下導通部に接続される部分となる。なお、図示しない上側基板３の外面側は何も形成されていない平坦な面となっている。
【００３３】
上記構成の下側基板２と上側基板３を重ね合わせると、図６に示すようになる。
【００３４】
図６において、２点鎖線で示した符号４１の部材は液晶層を基板間に封止するためのシール材である。信号電極６と走査電極７が交差する部分が個々の画素８となり、多数の画素８がマトリクス状に配列した領域が表示領域９となる。本実施の形態の場合、下側基板２の外形よりも上側基板３の外形の方が小さく、下側基板２は上側基板３の外側にはみ出している。また、下側基板２の一辺は上側基板３の外形よりも大きく突出して張り出した張り出し部分２ａとなっている。張り出し部分２ａには、外部接続端子２６と信号入力用配線２７が設けられている。下側基板２の内面上の各信号電極用接続配線１８の先端のランド１６の形成部分は、それぞれ上側基板３の外形から外側にはみ出した位置に配置して形成されている。一方、下側基板２の内面上の各走査電極用接続配線２１については、上下導通部に接する矩形のランド２２の部分がシール材４１の形成部分に位置し、スルーホールが設けられた円形のランド２３の部分が上側基板３の外形から外側にはみ出した位置に配置して形成されている。
【００３５】
図７は図６のＡ−Ａ’線に沿う断面図、すなわち信号電極６に沿った方向に切断した断面図である。この図に示すように、下側基板２と上側基板３は両基板間のシール材４１によって貼り合わされ、下側基板２と上側基板３とシール材４１とにより密閉された空間に液晶層２８が挟持されている。ここでは、液晶層２８として例えばＳＴＮ（Super Twisted Nematic）液晶等の一般的な液晶を用いることができる。
【００３６】
下側基板２の内面上に信号電極６および信号電極６と一体形成された信号電極用接続配線１８が形成されるとともに、下側基板２の外面上には信号電極用接続配線１２が形成され、双方の信号電極用接続配線１２，１８の先端のランドの部分には基板を貫通するスルーホール１７が形成されている。スルーホール１７の内部には銀ペースト等の導電性材料が充填されており、この導電性材料が、内面側の信号電極用接続配線１８と外面側の信号電極用接続配線１２とを電気的に接続する孔内接続部１５を構成している。
【００３７】
ここで、孔内接続部１５のより詳細な構成としては、例えばスルーホール１７の内部に銀ペースト等の導電性材料を埋め込んで孔内接続部１５を形成した後、導電性材料の表面を絶縁性の樹脂で被覆するなどして被覆層を形成すると、導電性材料の腐食を防止することができる。
【００３８】
もしくはスルーホール１７の内部に導電性材料を埋め込んで孔内接続部１５を先に形成した後、孔内接続部１５の上面および下面を覆うように下側基板２の内面上および外面上にそれぞれ信号電極用接続配線１８，１２を形成してもよい。
【００３９】
もしくは、孔内接続部は、内面側および外面側の信号電極用接続配線同士を電気的に接続できればよいのであって、必ずしも孔の内部全体に埋め込まれていなくてもかまわない。したがって、電解メッキ法を用いてスルーホール１７の内壁にのみ導電性材料を付着させ、孔内接続部１５としてもよい。
【００４０】
また図７に示すように、下側基板２の外面上の信号電極用接続配線１２のスルーホール１７が設けられた側と反対側の端部には、駆動用ＩＣ１０の端子３１が接続されている。以上のような配線構造を採ることにより、駆動用ＩＣ１０から出力された画像信号は、下側基板２の外面上の信号電極用接続配線１２、孔内接続部１５、下側基板２の内面上の信号電極用接続配線１８を経由して各信号電極６に供給される。よって、これら下側基板２の外面上の信号電極用接続配線１２、孔内接続部１５、下側基板２の内面上の信号電極用接続配線１８が信号電極用引き廻し配線１１を構成することになる。
【００４１】
図７に示す駆動用ＩＣ１０の実装形態は、ＩＣの表面（端子形成面）側を基板側に向けた、いわゆるフェイスダウン実装（もしくはＩＬＢ（Inner Lead Bonding）実装）と呼ばれるものであり、例えばマトリクス状に配置された半田ボールが端子３１を構成するＢＧＡ（Ball Grid Array）型半導体素子などが用いられる。
【００４２】
もしくは、図１１に示すように、駆動用ＩＣ１０の裏面側を下側基板２上に固定し、ＩＣ表面側の電極パッド３３と信号電極用接続配線１２とをボンディングワイヤー３４でボンディングした、いわゆるフェイスアップ実装（もしくはＯＬＢ（Outer Lead Bonding）実装）と呼ばれる実装形態により駆動用ＩＣを実装してもよい。
【００４３】
また図７に示すように、上側基板３の内面には多数の走査電極７が形成されている。そして、下側基板２、上側基板３双方の液晶層２８に接する最上層には配向膜３５，３６がそれぞれ形成されている。配向膜３５，３６はポリイミド等の膜からなり、ラビング等の配向処理が施されたものである。また、下側基板２と上側基板３の間には基板間の間隔（以下、セルギャップという）を一定に保持するためのスペーサ３７が散布されている。
【００４４】
一方、図８は図６のＢ−Ｂ’線に沿う断面図、すなわち走査電極７に沿った方向に切断した断面図であり、走査電極用引き廻し配線１３の構成が示されている。この図に示すように、上側基板３の内面上に、シール材４１の上面と接触するように走査電極７が形成されている。また、下側基板２の内面上には、多数の信号電極６が形成されるとともに、シール材４１の下面と接触するように走査電極用接続配線２１が形成されている。ここで、シール材４１の内部には樹脂等のバインダー中に金属粒子等の導電材が混入されており、シール材４１の上面および下面にそれぞれ接触した走査電極７と走査電極用接続配線２１とが電気的に接続されて上下導通部１９を構成している。
【００４５】
以下、下側基板２の内面から外面にわたる構成は、信号電極用引き廻し配線１１の場合と同様である。すなわち、下側基板２の外面上に走査電極用接続配線１４が形成され、内面側、外面側双方の走査電極用接続配線２１，１４の先端のランド２３，２５の部分にスルーホール３８が形成されている。スルーホール３８の内部には銀ペースト等の導電性材料が充填され、この導電性材料が孔内接続部２０を構成し、内面側、外面側の走査電極用接続配線２１，１４を互いに電気的に接続している。
【００４６】
また、下側基板２の外面上の走査電極用接続配線１４のスルーホール３８が設けられた側と反対側の端部には、駆動用ＩＣ１０の端子３１が接続されている。以上のような配線構造を採ることにより、駆動用ＩＣ１０から出力された走査信号は、下側基板２の外面上の走査電極用接続配線１４、孔内接続部２０、下側基板２の内面上の走査電極用接続配線２１、上下導通部１９を経由して各走査電極７に供給される。よって、これら下側基板２の外面上の走査電極用接続配線１４、孔内接続部２０、下側基板２の内面上の走査電極用接続配線２１、および上下導通部１９が走査電極用引き廻し配線１３を構成することになる。
下側基板２の張り出し部分２ａの外面には、信号入力用配線２７が延出して形成されており、その先端に外部接続端子２６ａが形成されている。この態様では、外部接続端子２６ａは下側基板２の張り出し部分２ａの信号入力用配線２７と同じ外面側にのみ形成されている。外部接続端子２６ａは信号入力用配線２７よりも一段厚く形成されている。
【００４７】
図９には、下側基板２の張り出し部分２ａに設けた外部接続端子の他の例として、下側基板２の張り出し部分２ａの外面、すなわち信号入力用配線２７と同じ側と、張り出し部分２ａの端面及び下側基板２の張り出し部分２ａの内面、すなわち信号電極６が設けられている面の３面に、断面がコの字型に設けられた外部接続端子２６ｂを示した。この実施形態では下側基板２の張り出し部分２ａに設けられた外部接続端子２６を、接続しようとする他の電子部品や電子機器の外部接続用ソケットに挿入するので、外部接続端子２６は他の電子部品や電子機器の外部接続用ソケットに合わせて形成すれば良い。
【００４８】
なお、シール材４１の内部に導電材を混入してこの部分を上下導通部１９とすることに代えて、上側基板２の内面上でシール材４１外側の下側基板２のスルーホール３８の上方にあたる位置まで走査電極７を延在させ、下側基板２のスルーホール３８の上方に任意の上下導通材を形成し、この部分を上下導通部としてもよい。この上下導通材は、例えば銀ペースト等の印刷により形成することができる。この構成の場合、シール材４１の部分では電気的導通がないが、上下導通材の形成部分で基板間の導通がなされ、導通経路としては図８の構造とほとんど同様になる。
【００４９】
以下、上記構成の液晶表示装置の製造方法について説明する。
【００５０】
下側基板２の材料としてポリイミド基板を用意し、基板の表裏両面にアルミニウム等の金属材料からなる導電性薄膜を成膜する。次に、基板両面の導電性薄膜上に感光性レジストを塗布した後、基板両面上にフォトマスクを配置し、同時に露光を行う。次いで、周知のフォトリソグラフィー、エッチング技術を用いて下側基板の表裏両面の導電性薄膜のパターニングを同時に行うことにより、上述の下側基板２内面側の信号電極６、各接続配線１８，２１、外面側の信号電極用接続配線１２、走査電極用接続配線１４、信号入力用配線２７、外部接続用端子２６等を一括して形成する。
【００５１】
次に、基板上の各接続配線端部の所定の箇所にＣＯ２レーザー等を照射することによって基板を貫通するスルーホール１７，３８を形成する。スルーホールの他の形成方法としては、レジストパターンをマスクとしたケミカルエッチング等を用いてもよい。その後、スルーホール１７，３８の内部に銀ペースト等の導電性材料を充填して孔内接続部１５，２０を形成し、下側基板２両面の各接続配線間を電気的に導通させる。また、孔内接続部の他の形成方法としては、電解メッキ処理等を用いてスルーホールの内壁に導電性材料を付着させる方法でもよい。いずれにしても、本実施の形態の場合、基板の表裏両面の導電性薄膜材料を同じにしたことによって、１回のフォトリソグラフィー、エッチング工程で下側基板２内面側の信号電極等と外面側の各種接続配線等を同時に形成できるため、製造工程を大幅に簡略化することができる。
【００５２】
一方、上側基板３の材料としてポリカーボネート、ポリエーテルスルホン、アクリル系樹脂等の透明基板を用意し、基板の一面（内面となる面）側にＩＴＯ等の透明性導電膜を成膜する。次いで、周知のフォトリソグラフィー、エッチング技術を用いて透明性導電膜をパターニングし、ストライプ状の走査電極７を形成する。
【００５３】
次に、下側基板２、上側基板３双方の内面上にポリイミド等を塗布、焼成した後、ラビング法等による配向処理を施して配向膜３５，３６をそれぞれ形成する。次いで、下側基板２、上側基板３のいずれか一方の基板上にセルギャップを保持するためのスペーサ３７を散布し、シール材４１となる樹脂材料を印刷した後、下側基板２と上側基板３とを貼り合わせ、シール材４１を硬化させて、空セルを作製する。本実施の形態の場合、シール材４１の部分を上下導通部とするためにシール材４１となる樹脂材料の中に金属粒子等の導電材を混入させておく。
【００５４】
次に、空セル内に、真空注入法等によりシール材の液晶注入口から液晶を注入し、液晶注入口を封止することで液晶セルが作製される。さらに、上側基板３の外面側に位相差板４、偏光板５を順次貼着した後、下側基板２の外面側にフェイスダウン実装、フェイスアップ実装等の形態で駆動用ＩＣ１０を実装する。
さらに必要に応じて、例えば図９に示すコの字型の外部接続用端子２６ｂを形成する場合には、下側基板２の張り出し部分２ａの端面に導電ペーストを使用して導体膜を形成し、上下を接続してコの字型の外部接続用端子２６ｂを得る。
【００５５】
または、コの字型の外部接続用端子２６ｂは、下側基板２の張り出し部分２ａの端面からコの字型の端子金具をはめ込んでかしめる方法で形成しても良い。
以上の工程により、本実施の形態の液晶表示装置１が完成する。
【００５６】
本実施の形態の液晶表示装置１においては、下側基板２の外面上に下側基板２内面の信号電極６および上側基板３内面の走査電極７と電気的に接続され、これら電極に対して信号を供給する駆動用ＩＣ１０が実装されている。そして、従来の構成では、各電極の引き廻し配線が例えば下側基板の内面上の表示領域の外側に引き廻されていたのに対し、本実施の形態の構成では、信号電極用引き廻し配線１１、走査電極用引き廻し配線１３の双方が、下側基板２、上側基板３各々の内面から下側基板２の内部を通って下側基板２の外面側に引き廻されている。
【００５７】
したがって、本実施の形態によれば、従来の構成において下側基板内面の表示領域外側に設けていた引き廻し領域、さらにはＦＰＣや電子部品の実装領域が不要となるので、その分だけ従来に比べて大幅に額縁を狭くすることができる。また、表示領域９内を含めて下側基板２の外面側全面に多数の接続配線をレイアウトすることができ、接続配線間のピッチを余裕を持って設計することができるので、引き廻し抵抗が増大するという問題が生じることもない。
【００５８】
さらに、本実施の形態で下側基板２の材料にポリイミドを用いたように、下側基板２は必ずしも透明基板である必要はないため、液晶表示装置の基板材料として従来から一般的なガラス、石英等の透明基板の他、ポリイミド等の樹脂基板、セラミック基板等を用いることもでき、下側基板２の材料選択の自由度が向上する。例えば下側基板２にセラミック基板を用いた場合、下側基板の剛性が向上するので、基板の変形が生じにくくなり、セルギャップの均一性、ひいては表示の均一性に優れた液晶表示装置が得られる。また、上下の基板ともにプラスチックフィルム基板等の可撓性を有する基板で構成しても良い。この構成にすると、液晶表示装置の薄型化、軽量化が図れる、基板の割れ等の破損が生じにくくなる、基板を湾曲させることで曲面表示が可能になる、等の利点が得られ、携帯機器等の電子機器に好適なものとなる。
【００５９】
また、下側基板２の張り出し部分２ａの１辺に外部接続端子２６が設けられているので、他の電子部品や電子機器に実装する場合、駆動用ＩＣ１０に駆動信号を供給するためのＦＰＣ等を使用する必要はなく、外部接続端子２６と他の電子部品や電子機器との接続をソケットに差し込むだけの簡単な方法で容易に行うことができる。また、外部接続端子２６と他の電子部品や電子機器との接続時に応力が発生することもなく、表示に悪影響を及ぼすこともない。
【００６０】
本実施の形態の場合、下側基板２のスルーホール１７，３８の位置をシール材４１の外側に配置したため、スルーホール１７，３８の孔内接続部１５，２０の部分が下側基板２上で若干盛り上がった形状となったとしても、その影響でシール材４１内部の表示領域９のセルギャップが変わるようなこともなく、画像表示上何ら支障がない。
【００６１】
また本実施の形態では、上述したように、下側基板２の内面側の信号電極６等と外面側の各種接続配線等をアルミニウムなどの同じ材料で構成したため、製造工程の簡略化を図ることができたが、下側基板２の内面側の信号電極６等と外面側の各種接続配線等を異なる材料で形成してもよい。例えば、内面側の信号電極６には光反射率の高い銀、アルミニウム等の金属材料を用い、外面側の接続配線には低抵抗材料である銅等の金属材料を用いるようにしても良い。このようにすると、製造工程の簡略化という上記の利点は得られない代りに、引き廻し抵抗のより一層の低減を図ることができる。
図１０は、本発明の外部接続用端子２６を備えた液晶装置の駆動用ＩＣ１０の実装方法を示す図である。図１０に示す実装形態は、ＩＣの表面（端子形成面）側を基板側に向けた、いわゆるフェイスダウン実装（もしくはＩＬＢ（Inner Lead Bonding）実装）と呼ばれるものであり、例えばマトリクス状に配置された半田ボールが端子３１を構成するＢＧＡ（Ball Grid Array）型半導体素子などが用いられる。
図１１は、本発明の外部接続用端子２６を備えた液晶装置の駆動用ＩＣ１０の他の実装方法を示す図である。図１１に示す実装形態は、駆動用ＩＣ１０の裏面側を下側基板２上に固定し、ＩＣ表面側の電極パッド３３と信号電極用接続配線１２とをボンディングワイヤー３４でボンディングした、いわゆるフェイスアップ実装（もしくはＯＬＢ（Outer Lead Bonding）実装）と呼ばれる実装形態である。
【００６２】
図１２は、本発明の外部接続用端子２６を備えた液晶装置を他の電子部品あるいは電子機器と接続した状態を示す図である。図に示すように、液晶表示装置１の下側基板２の張り出し部分２ａに、外部接続用端子２６が設けられている。この外部接続用端子２６の取付けられた下側基板２の張り出し部分２ａを、例えば他の電子機器４５の外部接続用ソケット４６に図の矢印の方向に挿入するだけで、液晶表示装置１を他の電子機器４５に簡単に実装することができる。また、実装するに際して特別なスペースも必要としないので、極めてコンパクトな実装が実現できる。
【００６３】
［第２の実施の形態］
以下、本発明の第２の実施の形態を図１３〜図１５を参照して説明する。
【００６４】
本実施の形態も第１の実施の形態と同様、本発明の液晶装置をパッシブマトリクス型液晶表示装置に適用した例であって、光反射部を兼ねた表示電極、いわゆる反射電極を有する液晶表示装置の例である。第１の実施の形態と異なる点は、外部接続用端子としてはんだボール又はピンを用いた点である。
【００６５】
このように、本実施の形態の液晶装置の概略構成は第１の実施の形態と共通であるため、共通な構成については図示および説明を省略する。
【００６６】
図１３は第１の実施の形態の図８に対応する図であって、図６のＢ−Ｂ’線に沿う断面図である。なお、これらの図面において、図１〜図１２と共通の構成要素については同一の符号を付す。
【００６７】
本実施の形態の液晶表示装置５１は、図１３に示すように、下側基板２の張り出し部分２ａの信号入力用配線２７の先端に、外部接続用端子２６としてはんだボール２６ｃが設けられている。他の構成は第１の実施態様の場合と全く同様である。
【００６８】
図１４は第１の実施の形態の図８に対応するもう一つの例を示す図であって、やはり図６のＢ−Ｂ’線に沿う断面図である。なお、これらの図面においても図１〜図１２と共通の構成要素については同一の符号を付す。
【００６９】
本実施の形態の液晶装置６１は、図１４に示すように、下側基板２の張り出し部分２ａの信号入力用配線２７の先端に、外部接続用端子２６としてピン２６ｄが設けられている。他の構成は第１の実施態様の場合と全く同様である。
これら図１３及び図１４に示す液晶表示装置５１又は液晶装置６１を、他の電子部品あるいは電子機器に実装する際の接続方法を示したのが、図１５と図１６である。図１５は本発明の液晶装置を他の電子部品等に実装した場合の平面図を透かして示してある。図１６は図１５の線Ｃ−Ｃ’に沿った断面図である。図１５に示すとおり、他の電子機器４５の所定の位置に重ねるようにして、本発明の液晶装置６１が配置されている。本発明の液晶装置６１には、例えばピン２６ｄがグリッドアレイ状に配置されており、他の電子機器４５の所定の接続ソケット４７の位置と一致するように配列してある。この状態を断面で示したのが図１６である。この状態で液晶装置６１を他の電子機器４５に対して圧接すれば、グリッドアレイ状に配列されたピン２６ｄが他の電子機器４５の接続ソケット４７に挿入され、本発明の液晶表示装置１が他の電子機器４５に実装される。
また、本発明の液晶表示装置５１に設けられた外部接続用の端子が、図１３に示すようなはんだボール２６ｃがグリッドアレイ状に複数配列されている場合には、図１６の接続ソケット４７に替えて上記グリッドアレイ状に対応した接続用パッドを設け、この接続用パッドにはんだボール２６ｃを加熱圧接すれば、簡単に本発明の液晶表示装置５１を他の電子機器４５に実装することができる。
【００７０】
［第３の実施の形態］
以下、本発明の第３の実施の形態を図１７及び図１８を参照して説明する。
【００７１】
本実施の形態も第１、第２の実施の形態と同様、本発明の液晶装置をパッシブマトリクス型液晶表示装置に適用した例である。本実施形態が第１、第２の実施の形態と異なる点は、液晶表示装置６１の外部接続用端子２６として、金属パッド２６ｃを設けた点である。金属パッド２６ｅは第１の実施態様と同様に導電性の薄膜で構成しても良く、あるいは金属板で構成しても良い。表面が平坦になっていれば良い。この液晶表示装置１を異方性導電フィルム（ Anisotropic Conductive Film：ＡＣＦ）５６を使用して、他の電子機器４５に実装した場合の断面図を示したのが図１８である。この場合、他の電子機器４５の所定位置に、電子機器４５用の金属パッド４８を表面を平坦にして形成しておく。液晶表示装置６１の金属パッド２６ｅと他の電子機器４５の金属パッド４８を重ね合わせ、両者の間に異方性導電フィルム（ＡＣＦ）５６を挟んで圧着すれば、液晶表示装置６１は他の電子機器４５に簡単に実装できる。
【００７２】
［第４の実施の形態］
最後に、本発明の第４の実施の形態を図１９〜図２１を参照して説明する。
【００７３】
本実施の形態も第１〜第３の実施の形態と同様、本発明の液晶装置をパッシブマトリクス型液晶装置に適用した例である。しかしながら、第４の実施の形態が第１〜第３の実施の形態と異なる点は、第１〜第３の実施の形態では液晶表示装置１の外部接続用端子２６を、基板の液晶表示面とは反対側の外面に設けていたのに対して、この第４の実施の形態では、液晶表示装置７１の外部接続用端子２６ｆを、回路基板の液晶表示面と同じ面に設けた点である。その他の構成は第１〜第３の実施の形態と同様であるので、詳しい説明は省略する。
図１９は、第１の実施の形態の図８に相当する図６の線Ｂ−Ｂ’に沿った断面図である。下側基板２の張り出し部分２ａの信号入力用配線２７の先端に、スルーホール３９が設けられ、外部接続用端子２６として外部接続端子２６ｆが設けられている。他の構成は第１の実施態様の場合と全く同様である。
スルーホール３９の内部には銀ペースト等の導電性材料が充填されており、この導電性材料が、外面側の信号入力用配線２７と内面側の外部接続端子２６ｆとを電気的に接続する孔内接続部５５を構成している。
【００７４】
ここで、孔内接続部５５のより詳細な構成としては、例えばスルーホール３９の内部に銀ペースト等の導電性材料を埋め込んで孔内接続部５５を形成し、外部接続端子２６ｆにワイヤーをボンディングした後、導電性材料の表面を絶縁性の樹脂で被覆するなどして被覆層を形成すると、導電性材料の腐食を防止することができる。
【００７５】
このような本発明の液晶表示装置７１を使用して、他の電子機器４５に実装した場合の平面図を示したのが図２０である。また、図２０の線Ｄ−Ｄ’に沿った断面を示したのが図２１である。この場合、他の電子機器４５の所定位置に、電子機器４５用の金属パッド４９を表面を平坦にして形成しておく。液晶表示装置７１の外部接続用端子２６ｆと他の電子機器４５の金属パッド４９を図２０のように並べて配置して、図２１に示すように液晶表示装置７１と他の電子機器４５とを重ね合わせ、外部接続用端子２６ｆと他の電子機器４５の金属パッド４９との間をボンディングワイヤー５４で接続する。このようにすれば液晶表示装置７１の外部接続用端子２６ｆと他の電子機器４５の金属パッド４９が同一面側にあるので、ワイヤーボンディング装置（図示省略）を利用して能率良く液晶表示装置７１を他の電子機器４５に実装できる。
【００７６】
［電子機器］
上記実施の形態の液晶表示装置を備えた電子機器の例について説明する。
【００７７】
図２２は、携帯電話の一例を示した斜視図である。図２２において、符号１０００は携帯電話本体を示し、符号１００１は上記の液晶表示装置を用いた液晶表示部を示している。
【００７８】
図２３は、腕時計型電子機器の一例を示した斜視図である。図２３において、符号１１００は時計本体を示し、符号１１０１は上記の液晶表示装置を用いた液晶表示部を示している。
【００７９】
図２４は、ワープロ、パソコンなどの携帯型情報処理装置の一例を示した斜視図である。図２４において、符号１２００は情報処理装置、符号１２０２はキーボードなどの入力部、符号１２０４は情報処理装置本体、符号１２０６は上記の液晶表示装置を用いた液晶表示部を示している。
【００８０】
図２２〜図２４に示す電子機器は、上記実施の形態の液晶表示装置を用いた液晶表示部を備えているので、狭額縁化による小型の液晶パネルを備えたことにより装置全体が小型である割に表示領域が広く、携帯性に優れた電子機器を実現することができる。液晶装置を実装して上記のような電子機器を組み立てる際に、本発明の液晶装置を使用すれば、実装作業を大幅に簡素化することができる。
【００８１】
なお、本発明の技術範囲は上記実施の形態に限定されるものではなく、本発明の趣旨を逸脱しない範囲において種々の変更を加えることが可能である。例えば液晶装置がＴＦＤ又はＴＦＤ方式のパッシブマトリクス型液晶表示装置の場合、カラーフィルターを備えた液晶装置の場合、反射層と表示電極を別個に有する液晶装置の場合、あるいはまたこれら実施の形態の特徴点を適宜組み合わせたものであってもよい。
また、上記の説明では駆動用ＩＣが一方の基板の外面中央に配置された例をとりあげて説明したが、駆動用ＩＣは基板の中央でなくても良く、基板の端部に配置されたものであっても良い。基板の端部に配置した場合には、透過型の液晶表示装置にも使用できる。さらに、駆動用ＩＣを実装していないものでも良く、駆動用ＩＣを他の電子部品の一つと見なせば良い。
【００８２】
また、上記実施の形態で例示した各液晶表示装置の構成材料、形状、製造方法等の具体的な記載に関しては、適宜変更が可能なことは勿論である。また、本発明の液晶装置は、直視型のみならず、投射型液晶装置（プロジェクタ）の液晶ライトバルブに適用することもできる。
【００８３】
【発明の効果】
以上、詳細に説明したように、このように液晶装置の基板の一部に外部接続端子を設けることにより、ＦＰＣを介することなく液晶装置を直接他の電子機器や電子部品に実装することができるので、無駄なスペースを省くことができるので狭額縁化の効果を最大限に発揮させることができ、取り扱いが簡単で実装作業も簡略化されることとなる。
また、本発明の液晶装置では、外部接続端子を一方の回路基板の実装面の少なくとも１辺に設けたので、液晶装置を直接他の電子機器や電子部品に重ね合わせて実装することができ、無駄なスペースを省くことができる。また、狭額縁化の効果を最大限に発揮させることができて、しかも取り扱いが簡単で実装作業も簡略化される。
また、本発明の液晶装置では、外部接続端子を一方の回路基板の表示領域外の少なくとも１辺に設けたので、液晶装置の駆動回路面を直接他の電子機器や電子部品に重ね合わせて実装することができるので、無駄なスペースを省くことができ、狭額縁化の効果を最大限に発揮させることができて、しかも取り扱いが簡単で実装作業も簡略化されることとなる。
【００８４】
外部接続端子としてピングリッドアレイまたはボールグリッドアレイを使用すれば、加熱圧接するのみの簡便な方法によって、確実に液晶装置と他の電子機器や電子部品とを接続することができる。
さらに、液晶装置上に設けた外部接続端子を利用すれば、液晶装置を他の電子機器に実装する際の位置決めが容易となる。
本発明によれば、従来、基板内面の表示領域外側に設けていた引き廻し領域やＦＰＣ、電子部品等の実装領域が不要となるので、従来に比べて大幅に額縁部分を狭くすることができる。また、外部接続端子を任意の位置に設けられるので、外部接続端子までの引き回し配線を任意の方向に設けることにより、一層狭額縁化に貢献できる。
【図面の簡単な説明】
【図１】  本発明の第１の実施の形態の液晶装置全体を上面側から見た斜視図である。
【図２】  図１の液晶表示装置を下面側から見た斜視図である。
【図３】  図１の液晶装置を構成する下側基板の上面（電極形成面）図である。
【図４】  図１の液晶装置を構成する下側基板の下面図である。
【図５】  図１の液晶装置を構成する上側基板の下面（電極形成面）図である。
【図６】  図１の液晶装置を構成する上側基板と下側基板とを重ね合わせた状態を示す透視図である。
【図７】  図１の液晶装置の断面構造を示す図であって、図６の線Ａ−Ａ’に沿った断面図である。
【図８】  同じく図６の線Ｂ−Ｂ’に沿った断面図である。
【図９】  図６の線Ｂ−Ｂ’に沿った断面図の他の例を示す図である。
【図１０】  本発明の液晶装置における駆動用ＩＣの実装形態の一例を示す図である。
【図１１】  本発明の液晶装置における駆動用ＩＣの実装形態の他の例を示す図である。
【図１２】  本発明の液晶装置を他の電子機器等に実装する例を示した図である。
【図１３】  本発明の液晶装置の外部接続端子の他の例を示す図である。
【図１４】  本発明の液晶装置の外部接続端子の別の例を示す図である。
【図１５】  図１４に示す液晶装置を、他の電子機器等に実装する例を示した平面図である。
【図１６】  図１５の線Ｃ−Ｃ’に沿った断面図である。
【図１７】  本発明の液晶装置の外部接続端子のさらに別の例を示す断面図である。
【図１８】  図１７に示す液晶装置を、他の電子機器等に実装する例を示した断面図である。
【図１９】  本発明の液晶装置の外部接続端子のさらに別の例を示す断面図である。
【図２０】  図１９に示す液晶装置を、他の電子機器等に実装する例を示した断面図である。
【図２１】  図１９の線Ｄ−Ｄ’に沿った断面図である。
【図２２】  本発明の電子機器の一例を示す斜視図である。
【図２３】  本発明の電子機器の他の例を示す斜視図である。
【図２４】  本発明の電子機器のさらに他の例を示す斜視図である。
【図２５】  ＣＯＦ実装を適用した従来の液晶装置の一例を示す斜視図である。
【図２６】  ＣＯＧ実装を適用した従来の液晶装置の一例を示す斜視図である。
【図２７】  従来のパッシブマトリクス型液晶装置における上側基板の構成を示す平面図である。
【図２８】  従来のパッシブマトリクス型液晶装置における下側基板の構成を示す平面図である。
【符号の説明】
１，５１，６１，７１・・・・・液晶表示装置
２・・・・・下側基板（第１の基板）
３・・・・・上側基板（第２の基板）
５・・・・・偏光板（偏光手段）
６・・・・・信号電極
７・・・・・走査電極
８・・・・・画素
９・・・・・表示領域
１０・・・・・駆動用ＩＣ
１２，１８・・・・・信号電極用接続配線
１３・・・・・走査電極用引き廻し配線
１４，２１・・・・・走査電極用接続配線
１５，２０，５５・・・・・孔内接続部
１６・・・・・ランド
１７，３８，３９・・・・・スルーホール
１９・・・・・上下導通部
２６・・・・・外部接続端子
２７・・・・・信号入力用配線
２８・・・・・液晶層
３１・・・・・端子
３３・・・・・電極バッド
３４，５４・・・・・ボンディングワイヤー
３５，３６・・・・・配向膜
３７・・・・・スペーサー
４１・・・・・シール材
４５・・・・・他の電子機器
４６・・・・・外部接続用ソケット
４７・・・・・接続用ソケット
４８，４９・・・・・金属パッド
５６・・・・・異方性導電フィルム
１００，１１０，１３０・・・・・下側基板
１０１，１１１，１２０・・・・・上側基板
１０２，１１２・・・・・駆動用ＩＣ
１０３，１１３・・・・・フレキシブルプリント配線板
１０００・・・・・携帯電話
１１００・・・・・腕時計型電子機器
１２００・・・・・携帯型情報処理装置
【図１】
0004038969.tif 000002
【図２】
0004038969.tif 000003
【図３】
0004038969.tif 000004
【図４】
0004038969.tif 000005
【図５】
0004038969.tif 000006
【図６】
0004038969.tif 000007
【図７】
0004038969.tif 000008
【図８】
0004038969.tif 000009
【図９】
0004038969.tif 000010
【図１０】
0004038969.tif 000011
【図１１】
0004038969.tif 000012
【図１２】
0004038969.tif 000013
【図１３】
0004038969.tif 000014
【図１４】
0004038969.tif 000015
【図１５】
0004038969.tif 000016
【図１６】
0004038969.tif 000017
【図１７】
0004038969.tif 000018
【図１８】
0004038969.tif 000019
【図１９】
0004038969.tif 000020
【図２０】
0004038969.tif 000021
【図２１】
0004038969.tif 000022
【図２２】
0004038969.tif 000023
【図２３】
0004038969.tif 000024
【図２４】
0004038969.tif 000025
【図２５】
0004038969.tif 000026
【図２６】
0004038969.tif 000027
【図２７】
0004038969.tif 000028
【図２８】
0004038969.tif 000029